(57)【特許請求の範囲】
【請求項１】
メモリに格納されたＲＦパラメータの調整値および基準値のいずれか一方に基づいて通信系の設定を行う通信端末において、
前記基準値は上限値、下限値および平均値を含み、
前記ＲＦパラメータの各々の前記調整値が前記上限値と前記下限値とによって決定される許容範囲を超えているかどうかを個別に判断する第１判断手段、
前記第１判断手段によってすべての前記調整値が前記許容範囲内であると判断されたとき、前記調整値を有効化し、少なくとも前記第１判断手段によって一部の前記調整値が前記許容範囲を超えていると判断されたとき、前記平均値を有効化する有効化手段を備えることを特徴とする、通信端末。
【請求項２】
前記平均値が有効化されたとき所定メッセージを出力する出力手段をさらに備える、請求項１記載の通信端末。
【請求項３】
前記基準値はソースプログラムに書き込まれ、前記ソースプログラムが前記メモリに格納される、請求項１または２記載の通信端末。
【請求項４】
前記上限値および前記下限値は所定の通信規格を遵守する数値であり、前記平均値は前記上限値および前記下限値とで決定される、請求項１ないし３のいずれかに記載の通信端末。
【請求項５】
前記調整値が欠如しているか否かを判断する第２判断手段をさらに備え、
前記有効化手段は、前記第２判断手段によって前記調整値が欠如していると判断されたとき、前記平均値を有効化する、請求項１記載の通信端末。
【発明の詳細な説明】
【０００１】
【産業上の利用分野】
この発明は通信端末に関し、特にたとえばメモリに格納されたＲＦパラメータの調整値および基準値のいずれか一方に基づいて通信系の設定を行なう、通信端末に関する。
【０００２】
【従来の技術】
従来のこの種の通信端末では、ＲＦ回路を構成する個々の部品の性能にばらつきがあるため、工場出荷前に、受信および送信（通信系）に関するＮＶ値(Non-Volatile-Item Value) すなわちＲＦパラメータを調整し、その調整値をフラッシュメモリのようなメモリに格納していた。ユーザが通信端末を使用するとき、通常はメモリに記憶された調整値を有効化（採用）するが、調整値が何らかの要因で完全に消去されてしまった場合には、ソースプログラム上に予め書き込まれているＲＦパラメータのデフォルト値（基準値）を採用し、これによって通話等の動作を実行できるようにしていた。
【０００３】
【発明が解決しようとする課題】
しかし、この従来技術では、何らかの要因によって、調整値の一部がメモリから消去（欠如）されたり、正規分布上の範囲（通信規格、たとえばＦＣＣ規格で定められた許容範囲）を超えてしまったりした場合は、調整値のすべてが失われた訳ではないため、メモリ上の調整値を採用して動作していた。このため、ＦＣＣ規格外で通信端末が動作してしまい、感度不足、出力異常、通話断等の症状が発生するという問題があった。また、調整値のすべてが失われた場合には、基準値を採用するようにしているが、基準値は個々の通信端末に適した値ではないため、上述したような問題が発生していた。
【０００４】
それゆえに、この発明の主たる目的は、異常な動作を回避するとともに、ＦＣＣ規格を遵守した動作をすることができる、通信端末を提供することである。
【０００５】
【課題を解決するための手段】
この発明は、メモリに格納されたＲＦパラメータの調整値および基準値のいずれか一方に基づいて通信系の設定を行う通信端末において、基準値は上限値、下限値および平均値を含み、ＲＦパラメータの各々の調整値が上限値と下限値とによって決定される許容範囲を超えているかどうかを個別に判断する第１判断手段、第１判断手段によってすべての調整値が許容範囲内であると判断されたとき、調整値を有効化し、少なくとも第１判断手段によって一部の調整値が許容範囲を超えていると判断されたとき、平均値を有効化する有効化手段を備えることを特徴とする、通信端末である。
【０００６】
【作用】
通信端末には、フラッシュメモリのようなメモリが設けられ、このメモリには通信端末の動作のためのソースプログラムおよび通信系（ＲＦ回路）について工場出荷前等に調整されたパラメータの調整値などが記憶される。また、メモリには、パラメータの基準値が記憶される。基準値は、たとえば、予め実験等によって、ＦＣＣ規格のような通信規格に遵守するように複数の通信端末を動作させた結果得られた正規分布上の上限値および下限値、さらにはそれらの平均値（標準偏差値）である。ユーザが通信端末の電源をオンすると、メモリに記憶された調整値と基準値とを比較し、有効化手段によっていずれか一方が有効化される。調整値が有効化された場合には、ＲＦ回路が最適な環境で動作する。一方、調整値に何らかの異常があり、基準値が有効化されると、通信端末は、ＦＣＣ規格を遵守した動作を実行する。
【０００７】
たとえば、基準値が有効化された場合には、ＦＣＣ規格内での動作をしているが、最適な環境では動作しておらず、感度不良、通話断等の症状が発生してしまう。このような状況で動作していることをユーザは知ることができないため、基準値が有効化された場合には、出力手段によって、現在、通信端末が最適な動作環境で動作していないことやＲＦパラメータ（通信端末）を調整する必要があることなどを報知するための所定メッセージが出力される。したがって、ユーザは、出荷元などに通信端末を修理（調整）に出すことができる。
【０００８】
また、基準値はソースプログラムに書き込まれ、このソースプログラムがメモリに格納される。つまり、ソースプログラムがメモリ内に格納されている場合には、調整値が失われてしまったとしても、基準値を用いてＦＣＣ規格に遵守した動作をすることができる。
【０００９】
さらに、有効化手段は、調整値が基準値の上限値および下限値で決定される範囲（許容範囲）内にあるときには、調整値を有効化（採用）し、逆に調整値が許容範囲を超えるときには、基準値を採用するので、適切なパラメータを選択的に使用することができる。
【００１０】
さらにまた、基準値は、上述したように、ＦＣＣ規格のような所定の通信規格に従って複数の通信端末を動作させた結果得られた正規分布上の上限値、下限値および平均値であるため、調整値に何らかの異常がある場合には、たとえば、基準値に含まれる平均値を採用することにより、ＦＣＣ規格を遵守した動作をすることができる。
【００１１】
【発明の効果】
この発明によれば、調整値に何らかの異常がある場合でも、基準値を使用してするため、異常な動作を回避して、ＦＣＣ規格を遵守した動作をすることができる。
【００１２】
この発明の上述の目的，その他の目的，特徴および利点は、図面を参照して行う以下の実施例の詳細な説明から一層明らかとなろう。
【００１３】
【実施例】
図１を参照して、この実施例の通信端末１０はＣＤＭＡ／ＡＭＰＳ方式を採用する携帯電話機であり、ＲＦ回路１２を含む。ＲＦ回路１２にはアンテナ１４が接続され、アンテナ１４を介して図示しない無線通信基地局との間でデータ通信を行なうことができる。また、ＲＦ回路１２には、ＡＳＩＣ−ＣＰＵ（以下、単に「ＣＰＵ」という。）１６が接続され、ＣＰＵ１６にはキースイッチ１８、ＬＣＤ２０、音声コーデック２２、メロディＩＣ２４、フラッシュメモリ２６およびＲＡＭ２８が接続される。
【００１４】
なお、ＣＰＵ１６としては、クアルコムＣＤＭＡテクノロジー社製のＣＤＭＡモデムチップ（商品名「ＭＳＭ３１００」）を用いることができる。
【００１５】
キースイッチ１８は、図示は省略するが、少なくともテンキー（“＊”キー、“♯”キーを含む。）、通話キー、切断キーおよびカーソルキーを含み、ユーザによって操作されたキーに対応するキー信号がＣＰＵ１６に入力される。
【００１６】
ＬＣＤ２０は、モノクロ或いはカラーの液晶表示装置であり、ユーザのキー操作に応じて、そのキー入力情報を表示したり、待ち受け画面や通信端末１０を用いてダウンロードした画像等のコンテンツを表示したりする。
【００１７】
音声コーデック２２は、ＲＦ回路１２およびＣＰＵ１６を介して受信（入力）されたディジタル音声データをアナログ音声信号に変換して通話用スピーカ３０から出力する。また、マイク３２から入力されるアナログ音声信号をディジタル音声データに変換して、ＣＰＵ１６およびＲＦ回路１２を介してアンテナ１４から無線基地局に送信する。
【００１８】
メロディＩＣ２４は、音楽再生用スピーカ３４を駆動し、主として、着信音或いは着信メロディを再生する。また、アプリケーションソフトの実行時における音楽・音声の再生或いはコンテンツの表示・実行時における音楽・音声を再生する。
【００１９】
フラッシュメモリ２６は、不揮発性のメモリであり、通信端末１０のソースプログラムおよび通信系（ＲＦ回路１２）について工場出荷前に調整されたＮＶ値(Non-Volatile-Item Value) すなわちＲＦパラメータ（以下、単に「パラメータ」という。）の調整値などが記憶される。
【００２０】
なお、フラッシュメモリ２６には、ユーザが登録した電話番号および電子メールアドレス等のアドレス帳、ユーザが設定した機能およびダウンロードした画像や音楽のようなコンテンツなども記憶される。
【００２１】
ＲＡＭ２８は、ＣＰＵ１６のワーキングメモリ或いはバッファメモリとして使用される。
【００２２】
ＣＰＵ１６は、ユーザの指示の下、フラッシュメモリ２６に格納されたソースプログラムに従って処理を実行し、たとえば、通話、電子メール送受信等のデータ通信などを実行する。
【００２３】
たとえば、ユーザがキースイッチ１８を操作して、通話相手の電話番号を入力し、通話キーを操作すると、これに応じて、ＣＰＵ３６は、発呼処理を実行し、通話相手の携帯電話機（図示せず）或いは公衆電話機（図示せず）との間で接続状態を確立する。ＣＰＵ３６は、接続状態を確立すると、通話処理を実行する。
【００２４】
なお、周知のように、通話相手の電話番号をフラッシュメモリ２６に登録している場合には、たとえば、カーソルキーを操作するだけで、通話相手の電話番号を入力することもできる。
【００２５】
通話相手の音声に対応する音声データ（以下、「通話音声データ」という。）は、無線基地局を介して送信され、アンテナ１４で受信される。アンテナ１４で受信された通話音声データは、ＲＦ回路１２に与えられ、増幅およびフィルタリングなどの処理を施される。このような処理を施された通話音声データはＣＰＵ１６を介して音声コーデックＩＣ２２に与えられる。そして、音声コーデック２２でアナログの音声信号に変換された後、通話用スピーカ３０から出力される。
【００２６】
一方、通信端末１０のユーザが発する音声は、マイク３２から入力され、音声コーデック２２でディジタルの音声データに変換され、ＣＰＵ１６を介してＲＦ回路１２に入力される。そして、ＲＦ回路１２でフィルタリングおよび増幅などの処理が施され、アンテナ１４から無線基地局に送信される。このように、通話処理が実行される。
【００２７】
また、通話相手（他）の携帯電話機或いは公衆電話機からの着呼があると、これに応じて、ＣＰＵ１６は着呼処理を実行する。つまり、ＣＰＵ１６は、フラッシュメモリ２６に記憶されている着信メロディの音楽データを読み出し、ＲＡＭ２８を用いて展開した後、メロディＩＣ２４を駆動する。したがって、着信メロディが音楽再生用スピーカ３４から出力され、“着信あり”が報知される。
【００２８】
なお、着信音で“着信あり”を報知するようにしてもよい。また、ユーザがバイブレーション機能を設定している場合には、フラッシュメモリ２６にバイブレーション機能がオンである情報が記憶されており、したがって、ＣＰＵ１６は、図示しないモータ等を駆動し、電話機１０本体を振動させて、“着信あり”を報知することもできる。また、バイブレーションおよび着信メロディ（または着信音）の両方で“着信あり”を報知することもできる。
【００２９】
これに応じて、ユーザがキースイッチ１８（通話キー）を操作すると、ＣＰＵ１６は、通話相手の携帯電話機或いは公衆電話機との間で接続状態を確立し、上述したような通話処理を実行する。
【００３０】
このように、通信端末１０は、携帯電話網を介して他の電話機と通話処理を実行することができ、または、携帯電話網および公衆電話網の両方を介して他の電話機と通話処理を実行することができる。
【００３１】
また、通信端末１０では、電子メールの送受信やインターネット接続などが可能である。さらに、電卓、スケジュール、アドレス帳など、通信端末１０に備えられた機能を実行することも可能である。このような機能等を実行するための画面に対応する画面データおよびプログラムは、フラッシュメモリ２６に記憶されており、ユーザのキー操作に応じてＣＰＵ１６が対応する画面データを読み出し、ＲＡＭ２８を用いて展開した後、ＬＣＤ２０に表示する。したがって、ユーザは、表示画面（ＬＣＤ２０）を見ながら、キースイッチ１８を操作して各機能等を実行することができる。これらの動作については周知であるため、詳細な説明は省略することにする。
【００３２】
図２に示すように、ＲＦ回路１２はＣＤＭＡ／ＡＭＰＳモードで使用される送受分離器（ＤＸＰ）４０ａおよびＰＣＳモードで使用されるＤＸＰ４０ｂを含む。ＤＸＰ４０ａおよびＤＸＰ４０ｂには、それぞれ、アンテナ１４およびアンテナ１４′が接続される。
【００３３】
なお、説明の都合上、図２においては、アンテナ１４およびアンテナ１４′がＲＦ回路１２に含まれるように記載してある。
【００３４】
また、アンテナ１４′は、車内で通信端末１０を使用する場合に接続されるアンテナである。
【００３５】
アンテナ１４で受信された信号（受信信号）は、ＤＸＰ４０ａを介して低雑音増幅器（ＬＮＡ）４２ａに与えられ、ＬＮＡ４２ａで増幅された後、ＲＦ−ＢＰＦ４４ａで第１の所定帯域を通過される。ＲＦ−ＢＰＦ４４ａを介した受信信号は、ミキサ４６ａに与えられる。また、ミキサ４６ａには、増幅器５８を介して第１局部発振器（ＵＨＦ／ＶＣＯ）６０が接続され、ＵＨＦ／ＶＣＯ６０からの発信信号が増幅器を介して入力される。したがって、受信信号はミキサ４６ａでＵＨＦ／ＶＣＯ６０からの発振信号とミックスされ、ダウンコンバートされる。ダウンコンバートされた受信信号は、ＩＦ−ＢＰＦ４８ａで第２の所定帯域を通過された後、ＡＧＣ５０に与えられる。
【００３６】
なお、増幅器５８は、同一レベルで大信号を通す増幅器である。後述する増幅器６４および増幅器８２も同様である。
【００３７】
一方、アンテナ１４´で受信された受信信号は、ＬＮＡ４２ｂ、ＢＰＦ４４ｂ、ミキサ４６ｂおよびＩＦ−ＢＰＦ４８ｂを介してＡＧＣ５０に与えられる。各コンポーネントにおける処理は、上述のアンテナ１４で受信された受信信号と同じであるため、重複した説明は省略する。
【００３８】
ＡＧＣ５０では、ＩＦ−ＢＰＦ４８ａ或いはＩＦ−ＢＰＦ４８ｂから入力された受信信号に対して、ゲイン調整が施され、ゲイン調整を施された受信信号は直交復調器５２に入力される。直交復調器５２にはまた、第２局部発振器（ＶＣＯ）６２からの発振信号が入力される。直交復調器５２は、ゲイン調整された受信信号を互いに直交した信号すなわちＩ信号およびＱ信号に変換し、ＬＰＦのようなフィルタ（Ｉ／Ｑフィルタ）５４ａ或いはＩ／Ｑフィルタ５４ｂに与える。
【００３９】
Ｉ／Ｑフィルタ５４ａ或いはＩ／Ｑフィルタ５４ｂは、Ｉ信号およびＱ信号のそれぞれに対してフィルタリング処理を施し、高域成分を除去する。このＩ／Ｑフィルタ５４ａ或いはＩ／Ｑフィルタ５４ｂを介したＩ信号およびＱ信号は、それぞれに対応して設けられたＡ／Ｄ変換器５６ａ或いはＡ／Ｄ変換器５６ｂでディジタル変換された後、図１で示したＣＰＵ１６に入力される。
【００４０】
なお、図示は省略するが、ＣＤＭＡ／ＰＣＳモードが設定されている場合には、ＣＰＵ１６によって、Ｉ／Ｑフィルタ５４ａおよびＡ／Ｄ変換器５６ａが能動化され、ＡＭＰＳモードが設定されている場合には、ＣＰＵ１６によって、Ｉ／Ｑフィルタ５４ｂおよびＡ／Ｄ変換器５６ｂが能動化される。つまり、いずれか一方の処理系が能動化（有効化）される。
【００４１】
ＶＣＯ６２の発振信号はまた、増幅器６４を介してＤＵＡＬ／ＰＬＬ  ＵＨＦ６６に与えられる。ＤＵＡＬ／ＰＬＬ  ＵＨＦ６６には、ＴＣＸＯ７４からの周波数信号も入力される。ＤＵＡＬ／ＰＬＬ  ＵＨＦ６６は、ＵＨＦ／ＶＣＯ６０から出力される発振周波数信号を設定（決定）するためのローカル信号を発生する。
【００４２】
ＴＣＸＯ７４からの周波数信号はまた、ＴＸ−ＰＬＬ７２に入力され、所定の周波数にロックされた後、第３局部発振器（ＴＸ−ＩＦ  ＶＣＯ）７０に入力される。ＴＸ−ＩＦ  ＶＣＯ７０から出力される周波数信号は直交変調器６８に入力される。また、ＣＰＵ１６から入力されるアナログの送信信号が、直交変調器６８に入力される。直交変調器６８は、ＴＸ−ＩＦ  ＶＣＯ７０からの周波数信号を用いて送信信号を直交変調し、直交変調された送信信号はＡＧＣ７８でゲイン調整を施される。
【００４３】
そして、送信信号は、ＤＩＳＣＲＥＴＥ−ＩＦフィルタ８０でフィルタリング処理を施されることにより、ＴＸ−ＩＦ帯を超える不要なスプリアスが除去された後、ミキサ８２に入力される。つまり、ＤＩＳＣＲＥＴＥ−ＩＦフィルタ８０は、ＢＰＦとして働く。ミキサ８２にはまた、上述したＵＨＦ／ＶＣＯ６０からの発振信号が増幅器８４を介して入力され、したがって、送信信号はアップコンバートされる。アップコンバートされた送信信号は、ドライバアンプ（ＡＭＰ）８６ａ或いは８６ｂに入力される。
【００４４】
送信信号がＡＭＰ８６ａに入力されると、ＡＭＰ８６ａによって送信信号は増幅され、ＴＸ−ＳＡＷフィルタ８８ａでフィルタリング処理を施された後、さらにＲＦ−ＡＭＰ９０ａで増幅される。ＲＦ−ＡＭＰ９０ａで増幅された送信信号は、アイソレータ９２ｂおよびＤＸＰ４０ｂを介してアンテナ１４′から無線基地局に送信される。アイソレータ９２ｂは、アンテナ１４′からの反射波を阻止し、ＲＦ−ＡＭＰ９０ａを保護するとともに、その動作を安定させる。また、アンテナ１４′を介して不要波がＲＦ−ＡＭＰ９０ａに侵入するのを阻止して、相互変調ひずみが発生するのを防止する。
【００４５】
一方、送信信号がＡＭＰ８６ｂに入力されると、送信信号は、ＡＭＰ８６ｂ、ＩＦ−ＳＡＷフィルタ８８ｂ、ＲＦ−ＡＭＰ９０ｂ、アイソレータ９２ａおよびＤＸＰ４０ａを介してアンテナ１４から無線基地局に送信される。各コンポーネントにおける処理は上述と同じであるため、重複した説明は省略する。
【００４６】
なお、図示は省略するが、ＰＣＳモードが設定されている場合には、ＣＰＵ１６によって、ＡＭＰ８６ａとＤＸＰ４０ｂとの間における処理系のコンポーネントが能動化され、ＣＤＭＡ／ＡＭＰＳモードが設定されている場合には、ＣＰＵ１６によって、ＡＭＰ８６ｂとＤＸＰ４０ａとの間の処理系のコンポーネントが能動化される。つまり、いずれか一方の処理系が能動化（有効化）される。
【００４７】
このようなＲＦ回路１２では、ＣＰＵ１６が様々なパラメータを使用（参照）して、感度等の動作環境が調整（設定）される。たとえば、この実施例では、ＡＭＰＳモードおよびＣＤＭＡ／ＰＣＳモードの各モードに対応した送受信のパラメータ（送信パラメータおよび受信パラメータ）を用いて、ＲＦ回路１２の動作環境を設定する。具体的には、図３のような一覧表で示すパラメータが使用される。
【００４８】
ＡＭＰＳモードで使用される受信パラメータはＮＶ＿ＦＭ＿ＲＳＳ＿Ｉであり、これはＦＭ受信レベル調整値のパラメータである。また、同じＡＭＰＳモードで使用される送信パラメータは、ＮＶ＿ＦＭ＿ＡＧＣ＿ＳＥＴ＿ＶＳ＿ＰＷＲ＿Ｉ，ＮＶ＿ＦＭ＿ＡＧＣ＿ＳＥＴ＿ＶＳ＿ＦＲＥＱ＿Ｉ，ＮＶ＿ＦＭ＿ＥＸＰ＿ＨＤＥＴ＿ＶＳ＿ＰＷＲ＿Ｉ，ＮＶ＿ＦＭ＿ＡＧＣ＿ＡＤＪ＿ＶＳ＿ＦＲＥＱ＿Ｉ，ＮＶ＿ＦＭ＿ＦＲＥＱ＿ＳＥＮＳＥ＿ＧＡＩＮ＿ＩおよびＮＶ＿ＦＭ＿ＥＲＲ＿ＳＬＰ＿ＶＳ＿ＰＷＲ＿Ｉである。
【００４９】
ＮＶ＿ＦＭ＿ＡＧＣ＿ＳＥＴ＿ＶＳ＿ＰＷＲ＿ＩはＦＭ送信想定値のパラメータであり、ＮＶ＿ＦＭ＿ＡＧＣ＿ＳＥＴ＿ＶＳ＿ＦＲＥＱ＿ＩはＦＭ送信周波数補正（Ｄｅｆａｕｌｔ）のパラメータである。また、ＮＶ＿ＦＭ＿ＥＸＰ＿ＨＤＥＴ＿ＶＳ＿ＰＷＲ＿ＩはＦＭ送信電力対検波電圧調整のパラメータであり、ＮＶ＿ＦＭ＿ＡＧＣ＿ＡＤＪ＿ＶＳ＿ＦＲＥＱ＿ＩはＦＭ送信周波数補正調整のパラメータである。さらに、ＮＶ＿ＦＭ＿ＦＲＥＱ＿ＳＥＮＳＥ＿ＧＡＩＮ＿ＩはＦＭ送信変調度調整のパラメータであり、ＮＶ＿ＦＭ＿ＥＲＲ＿ＳＬＰ＿ＶＳ＿ＰＷＲ＿ＩはＦＭ送信電力微調整用のパラメータである。
【００５０】
また、ＣＤＭＡ／ＰＣＳモードで使用される受信パラメータは、ＮＶ＿ＣＤＭＡ＿ＲＸ＿ＬＩＮ＿ＯＦＦ＿０＿Ｉ，ＮＶ＿ＣＤＭＡ＿ＲＸ＿ＬＩＮ＿ＳＬＰ＿Ｉ，ＮＶ＿ＣＤＭＡ＿ＲＸ＿ＣＯＭＰ＿ＶＳ＿ＦＲＥＱ＿Ｉ，ＮＶ＿ＣＤＭＡ＿ＲＸ＿ＬＩＮ＿ＶＳ＿ＴＥＭＰ＿ＩおよびＮＶ＿ＣＤＭＡ＿ＲＸ＿ＳＬＰ＿ＶＳ＿ＴＥＭＰ＿Ｉである。
【００５１】
ＮＶ＿ＣＤＭＡ＿ＲＸ＿ＬＩＮ＿ＯＦＦ＿０＿ＩはＣＤＭＡ／ＰＣＳ受信調整値のパラメータであり、ＮＶ＿ＣＤＭＡ＿ＲＸ＿ＬＩＮ＿ＳＬＰ＿ＩはＣＤＭＡ／ＰＣＳ受信調整値のパラメータである。また、ＮＶ＿ＣＤＭＡ＿ＲＸ＿ＣＯＭＰ＿ＶＳ＿ＦＲＥＱ＿ＩはＣＤＭＡ／ＰＣＳ受信周波数補正値のパラメータであり、ＮＶ＿ＣＤＭＡ＿ＲＸ＿ＬＩＮ＿ＶＳ＿ＴＥＭＰ＿ＩおよびＮＶ＿ＣＤＭＡ＿ＲＸ＿ＳＬＰ＿ＶＳ＿ＴＥＭＰ＿ＩはＣＤＭＡ／ＰＣＳ受信温度補正値のパラメータである。
【００５２】
また、ＣＤＭＡ／ＰＣＳモードで使用される送信パラメータは、ＮＶ＿ＣＤＭＡ＿ＴＸ＿ＬＩＮ＿ＭＡＳＴＥＲ＿ＯＦＦ＿０＿Ｉ，ＮＶ＿ＣＤＭＡ＿ＴＸ＿ＬＩＮ＿ＭＡＳＴＥＲ＿ＳＬＰ＿Ｉ，ＮＶ＿ＣＤＭＡ＿ＴＸ＿ＣＯＭＰ＿ＶＳ＿ＦＲＥＱ＿Ｉ，ＮＶ＿ＣＤＭＡ＿ＴＸ＿ＬＩＮ＿ＶＳ＿ＴＥＭＰ＿Ｉ，ＮＶ＿ＣＤＭＡ＿ＴＸ＿ＳＬＰ＿ＶＳ＿ＴＥＭＰ＿Ｉ，ＮＶ＿ＣＤＭＡ＿ＥＸＰ＿ＨＤＥＴ＿ＶＳ＿ＡＧＣ＿Ｉ，ＮＶ＿ＨＤＥＴ＿ＯＦＦ＿Ｉ，ＮＶ＿ＨＤＥＴ＿ＳＰＮ＿Ｉ，ＮＶ＿ＣＤＭＡ＿ＴＸ＿ＬＩＭ＿ＶＳ＿ＴＥＭＰ＿ＩおよびＮＶ＿ＣＤＭＡ＿ＴＸ＿ＬＩＭ＿ＶＳ＿ＦＲＥＱ＿Ｉである。
【００５３】
ＮＶ＿ＣＤＭＡ＿ＴＸ＿ＬＩＮ＿ＭＡＳＴＥＲ＿ＯＦＦ＿０＿ＩおよびＮＶ＿ＣＤＭＡ＿ＴＸ＿ＬＩＮ＿ＭＡＳＴＥＲ＿ＳＬＰ＿Ｉは、ＣＤＭＡ／ＰＣＳ送信調整値のパラメータである。また、ＮＶ＿ＣＤＭＡ＿ＴＸ＿ＣＯＭＰ＿ＶＳ＿ＦＲＥＱ＿ＩはＣＤＭＡ／ＰＣＳ送信周波数補正値のパラメータであり、ＮＶ＿ＣＤＭＡ＿ＴＸ＿ＬＩＮ＿ＶＳ＿ＴＥＭＰ＿ＩおよびＮＶ＿ＣＤＭＡ＿ＴＸ＿ＳＬＰ＿ＶＳ＿ＴＥＭＰ＿ＩはＣＤＭＡ／ＰＣＳ送信温度補正値のパラメータである。さらに、ＮＶ＿ＣＤＭＡ＿ＥＸＰ＿ＨＤＥＴ＿ＶＳ＿ＡＧＣ＿Ｉ，ＮＶ＿ＨＤＥＴ＿ＯＦＦ＿ＩおよびＮＶ＿ＨＤＥＴ＿ＳＰＮ＿Ｉは、ＣＤＭＡ／ＰＣＳ送信電力対検波電圧調整値のパラメータである。さらにまた、ＮＶ＿ＣＤＭＡ＿ＴＸ＿ＬＩＭ＿ＶＳ＿ＴＥＭＰ＿ＩはＣＤＭＡ／ＰＣＳ送信リミッタ温度調整値のパラメータであり、ＮＶ＿ＣＤＭＡ＿ＴＸ＿ＬＩＭ＿ＶＳ＿ＦＲＥＱ＿ＩはＣＤＭＡ／ＰＣＳ送信リミッタ周波数補正のパラメータである。
【００５４】
これらのパラメータの基準値は、予め実験等によって、ＦＣＣ規格のような所定の通信規格を遵守するように複数の通信端末１０を動作させた結果得られた正規分布上の上限値および下限値、さらにそれらの平均値（標準偏差値）であり、このような平均値、上限値および下限値がそれぞれ通信端末１０のソースプログラムに書き込まれる。そして、そのソースプログラムが、上述したように、フラッシュメモリ２６に格納される。
【００５５】
また、各パラメータ（基準値）は８ビットのデータであり、たとえば、ＮＶ＿ＣＤＭＡ＿ＲＸ＿ＬＩＮ＿ＯＦＦ＿０＿Ｉの基準値は、平均値が４Ｆ（００１０１１１１）であり、上限値が４９（０１００１００１）であり、下限値が５８（０１０１１０００）である。
【００５６】
さらに、ＲＦ回路１２は、その部品（図２参照）毎に機能／特性のばらつきがあり、したがって、通信端末１０毎にばらつきがあるため、たとえば、工場出荷前に基準値とは異なるパラメータの調整値が設定される。この調整値は、上述したような、基準値の上限値および下限値とで決定される範囲（許容範囲）を超えない値で設定（調整）され、フラッシュメモリ２６に格納される。
【００５７】
たとえば、ユーザが通信端末１０の電源をオンすると、パラメータの調整値が有効化され、調整値に従ってＡＧＣ５０、ＡＧＣ８２、ＡＭＰ８６ａ、ＡＭＰ８６ｂ、ＲＦ−ＡＭＰ９０ａおよびＲＦ−ＡＭＰ９０ｂなどのゲイン或いは増幅度等が決定される。
【００５８】
しかし、ユーザがソースプログラムをバージョンアップした場合やフラッシュメモリ２６の内容を消去してしまった場合には、調整値が失われてしまうことがある。また、何らかの要因によって、調整値が改変されてしまい、ＦＣＣ規格を遵守するための正規分布上の範囲すなわち上述したような許容範囲を超えてしまうようなこともある。
【００５９】
このように、調整値に異常がある場合には、通信端末１０は、ソースプログラムに書き込まれている基準値を有効化（採用）し、この実施例では、基準値に含まれる平均値を採用し、ＦＣＣ規格を遵守した動作をするようにしてある。ただし、基準値は上述したように、実験等によって得られた概略値であり、各通信端末１０のＲＦ回路１２に適した値とはなっておらず、感度不足、通話断等の症状が発生するため、工場等の出荷元でパラメータを再度調整する必要がある。
【００６０】
このため、基準値を使用して通信端末１０が動作している場合には、ＬＣＤ２０に“最適な環境で動作しておりません。本体を修理に出す必要があります。”のような所定のメッセージ（所定メッセージ）を出力（表示）するようにしてある。また、所定メッセージの表示に伴って、音楽再生用スピーカ３４から警告音（メロディ、音楽を含む。）を出力するようにしてもよい。
【００６１】
なお、このような所定メッセージのデータは、フラッシュメモリ２６に記憶され、ＣＰＵ１６の指示に従ってフラッシュメモリ２６から読み出され、ＲＡＭ２８を用いて展開された後、ＬＣＤ２０に出力される。また、警告音のデータもフラッシュメモリ２６に記憶され、ＣＰＵ１６の指示に従ってフラッシュメモリ２６から読み出され、ＲＡＭ２８を用いて展開された後、メロディＩＣ２４およびスピーカ３４を介して出力される。
【００６２】
具体的には、ＣＰＵ１６は図４に示すような処理を実行し、調整値或いは基準値を有効化する。通信端末１０の電源がオンされると、ＣＰＵ１６は処理を開始し、ステップＳ１で基準値と調整値とを比較する。続くステップＳ３では、調整値がＯＫかどうかを判断する。つまり、基準値と調整値とを比較した結果、調整値が基準値の上限値と下限値とによって決定される許容範囲を超えているかどうかによって、調整値がＯＫかどうかを判断する。このような判断は、図３で示したすべてのパラメータに対してそれぞれ実行される。
【００６３】
ステップＳ３で“ＹＥＳ”であれば、つまり、すべての調整値が許容範囲内にあれば、調整値はＯＫであると判断し、ステップＳ９で調整値を有効化（採用）してから処理を終了する。一方、ステップＳ３で“ＮＯ”であれば、つまり、許容範囲を超える調整値が１つでもある場合や調整値が失われている（欠如している）場合には、調整値はＮＧであると判断し、ステップＳ５でソースプログラム上の基準値を採用する。続いて、ステップＳ７で、所定メッセージ（および警告音）出力して、修理の必要があることを警告（報知）してから処理を終了する。
【００６４】
この実施例によれば、調整値を設定できない場合には、ソースプログラム内の基準値を設定するので、異常な動作状態を回避してＦＣＣ規格を遵守した動作をすることができる。
【００６５】
なお、この実施例では、通信端末としてＣＤＭＡ／ＡＭＰＳ方式を採用する携帯電話機についてのみ示したが、他の携帯電話機、ＰＨＳのようなＲＦ回路を有する通信端末にこの発明を適用できることは言うまでもない。
【００６６】
また、この実施例では、通信規格としてＦＣＣ規格を採用した場合についてのみ言及したが、この通信端末が使用される国等の領域で採用される通信規格に従って基準値および調整値を設定するようにすればよい。
【図面の簡単な説明】
【図１】この発明の一実施例の構成を示すブロック図である。
【図２】図１実施例にＲＦ回路を示すブロック図である。
【図３】図１実施例に示すＲＦ回路に設定されるパラメータの一覧表である。
【図４】図１実施例に示すＣＰＵの処理の一部を示すフロー図である。
【符号の説明】
１０  …携帯電話機
１２  …ＲＦ回路
１６  …ＣＰＵ
１８  …キースイッチ
２０  …ＬＣＤ
２２  …音声コーデック
２４  …メロディＩＣ
２６  …フラッシュメモリ
２８  …ＲＡＭ
３０，３４  …スピーカ
３２  …マイク
４０ａ，４０ｂ  …ＤＸＰ
４２ａ，４２ｂ  …ＬＮＡ
５０，７８  …ＡＧＣ
５２  …直交復調器
５４ａ，５４ｂ  …Ｉ／Ｑフィルタ
６６  …ＤＵＡＬ／ＰＬＬ  ＵＨＦ
６８  …直交変調器
８０  …ＤＩＳＣＲＥＴＥ−ＩＦフィルタ
８８ａ，８８ｂ  …ＴＸ−ＳＡＷフィルタ
９２ａ，９２ｂ  …アイソレータ
【図１】
0003773819.tif 000002
【図２】
0003773819.tif 000003
【図３】
0003773819.tif 000004
【図４】
0003773819.tif 000005